(57)【要約】【課題】  １台の携帯電話機を複数の使用者が共用する場合の各使用者の個人データのセキュリティを向上する。【解決手段】携帯電話機本体２０は、複数の使用者に共用されるものであり、情報アタッチメント１０を装着してログオンを行った使用者のみの個人データを保有し、ログオフを行った他の使用者の個人データを当該各使用者が所持している情報アタッチメント１０に退避する。すなわち、ログオンでは、携帯電話機本体２０は、使用者が登録されていないとき、同使用者を登録すると共に同使用者の個人データを情報アタッチメント１０から移動して保有する。また、ログオフでは、携帯電話機本体２０は、使用者が登録され、かつ同使用者の個人データが保有されているとき、同使用者の登録を削除すると共に同個人データを情報アタッチメント１０へ移動する。【選択図】図１
2005303597.tif 000002
【特許請求の範囲】
【請求項１】
使用者の個人データを保有すると共に所定の通信動作を行う携帯電話機であって、
複数の使用者に共用される携帯電話機本体と、
前記各使用者毎に設けられると共に前記携帯電話機本体に対して着脱可能な構成とされ、当該使用者の個人データを記憶する複数の記憶手段とを備えてなり、
前記携帯電話機本体は、
前記記憶手段を装着してログオンを行った使用者のみの前記個人データを保有し、ログオフを行った他の使用者の個人データを当該各使用者が所持している前記記憶手段に退避する構成とされていることを特徴とする携帯電話機。
【請求項２】
前記各記憶手段は、
当該使用者を表す使用者情報を記憶する構成とされ、
前記携帯電話機本体は、
前記ログオンでは、前記使用者が登録されていないとき、装着された前記記憶手段に記憶されている前記使用者情報に基づいて該使用者を登録すると共に該使用者の前記個人データを前記記憶手段から移動して保有し、
前記ログオフでは、前記使用者が登録され、かつ該使用者の前記個人データが保有されているとき、該使用者の登録を削除すると共に該個人データを前記記憶手段へ移動する構成とされていることを特徴とする請求項１記載の携帯電話機。
【請求項３】
前記携帯電話機本体は、
前記各使用者の認証情報を予め登録し、該認証情報と当該使用者により入力された認証情報とを照合することにより認証を行い、この後、前記ログオン又は前記ログオフを行う構成とされていることを特徴とする請求項１又は２記載の携帯電話機。
【請求項４】
複数の使用者に共用される携帯電話機本体と、
前記各使用者毎に設けられると共に前記携帯電話機本体に対して着脱可能な構成とされ、当該使用者の個人データを記憶する複数の記憶手段とを備えてなる携帯電話機に用いられ、  前記記憶手段を前記携帯電話機本体に装着してログオンを行った使用者のみの前記個人データを保有し、ログオフを行った他の使用者の個人データを当該各使用者が所持している前記記憶手段に退避することを特徴とする個人データ管理方法。
【請求項５】
前記各記憶手段が、当該使用者を表す使用者情報を記憶し、
前記ログオンでは、前記携帯電話機本体に前記使用者が登録されていないとき、装着された前記記憶手段に記憶されている前記使用者情報に基づいて該使用者を登録すると共に該使用者の前記個人データを前記記憶手段から移動して保有し、
前記ログオフでは、前記携帯電話機本体に前記使用者が登録され、かつ該使用者の前記個人データが保有されているとき、該使用者の登録を削除すると共に該個人データを前記記憶手段へ移動することを特徴とする請求項４記載の個人データ管理方法。
【請求項６】
前記携帯電話機本体に前記各使用者の認証情報を予め登録し、該認証情報と当該使用者により入力された認証情報とを照合することにより認証を行い、この後、前記ログオン又は前記ログオフを行うことを特徴とする請求項４又は５記載の個人データ管理方法。
【請求項７】
コンピュータに請求項１乃至３のうちのいずれか一に記載の携帯電話機を制御させるための管理制御プログラム。
【発明の詳細な説明】
【技術分野】
【０００１】
この発明は、携帯電話機、該携帯電話機に用いられる個人データ管理方法及び管理制御プログラムに係り、特に、複数の使用者（ユーザ）が共用する場合に好適な携帯電話機、該携帯電話機に用いられる個人データ管理方法及び管理制御プログラムに関する。
【背景技術】
【０００２】
携帯電話機は、通常、１台に対して使用者１人が使用することを前提として製作されているが、職場や家庭などでは複数の使用者に共用されることもある。この場合、ある一人の使用者の個人データが携帯電話機に保存された場合、従来では、個人データの内容は電話帳程度のものであり、他の使用者が見ることがあっても、プライバシーの面で問題となることは少なかった。ところが、近年では、携帯電話機は、多機能化により、スケジューラやメーラなど、さまざまな機能が搭載されることが多くなっている。これに伴い、携帯電話機に保存される個人データも多様化しているため、各使用者が携帯電話機に保存する個人データを使用者同士でルールを決めて管理することは困難である。たとえば、１台の携帯電話機が職場で複数の社員に共用され、ある一人の社員が出張などのために短期間持ち出す場合、現状の携帯電話機では、個人データを使用者毎に分けることが難しく、非常に不便である。また、ある使用者の個人データを他の使用者が容易に参照及び操作することができるため、使用者間でのプライバシー及びセキュリティの面でも問題が発生する。このため、このような問題を改善した携帯電話機が提案されている。
【０００３】
従来、この種の技術としては、たとえば、次のような文献に記載されるものがあった。
特許文献１に記載された通話端末利用環境設定方法では、利用者個人の最適な機器環境設定条件を通話端末用携帯メモリ（電話機用カード）に記憶させ、通話端末利用時に設定情報を読み取らせることにより、どの通話端末であっても、いつでも同じ設定条件で使用できる。
【０００４】
特許文献２に記載された携帯通信端末では、複数の使用者の使用者データと各使用者が設定した暗証番号とが記述された管理情報が記録部内に記録され、使用者が操作入力部を操作して入力した暗証番号に対応する使用者データが記録部から読み出され、読み出された使用者データが表示部に表示される。これにより、１台の携帯通信端末を複数の使用者で共用する場合であっても、複数の使用者の使用者データが独立して保持及び管理される。
【０００５】
特許文献３に記載された携帯型通信端末機では、個人識別コードと暗証コードとを少なくとも登録する個人情報記憶部と、個人別に作成され、短縮番号テーブルを記憶する短縮番号記憶部とを有し、使用者情報である短縮番号が、同短縮番号記憶部に一括で保存されている。そして、所定の操作により入力された個人識別コードと暗証コードの認証が個人識別部によって確認されたときに、その個人用の短縮番号テーブルの使用が許可される。
【特許文献１】特開２０００−２０１２３４号公報（第１頁、図２）
【特許文献２】特開２００４−０４０５９５号公報（要約書、図２）
【特許文献３】特開平１１−２１５２３１号公報（要約書、図１）
【発明の開示】
【発明が解決しようとする課題】
【０００６】
しかしながら、上記従来の技術では、次のような問題点があった。
すなわち、特許文献１に記載された通話端末利用環境設定方法では、第３者が電話機用カードを不正に入手した場合、別の携帯電話機で同電話機用カードに含まれるデータが参照されてしまい、使用者間でのプライバシー及びセキュリティの面で問題が発生する。
【０００７】
また、特許文献２に記載された携帯通信端末では、全ての使用者データが記録部に一括で保存されているため、上記特許文献１と同様の問題点がある他、使用者データの量が多くなると、保存されないというトラブルが発生することがある。また、特許文献３に記載された携帯型通信端末機では、短縮番号が短縮番号記憶部に一括で保存されているため、上記特許文献２と同様の問題点がある。
【課題を解決するための手段】
【０００８】
上記課題を解決するために、請求項１記載の発明は、使用者の個人データを保有すると共に所定の通信動作を行う携帯電話機に係り、複数の使用者に共用される携帯電話機本体と、前記各使用者毎に設けられると共に前記携帯電話機本体に対して着脱可能な構成とされ、当該使用者の個人データを記憶する複数の記憶手段とを備えてなり、前記携帯電話機本体は、前記記憶手段を装着してログオンを行った使用者のみの前記個人データを保有し、ログオフを行った他の使用者の個人データを当該各使用者が所持している前記記憶手段に退避する構成とされていることを特徴としている。
【０００９】
請求項２記載の発明は、請求項１記載の携帯電話機に係り、前記各記憶手段は、当該使用者を表す使用者情報を記憶する構成とされ、前記携帯電話機本体は、前記ログオンでは、前記使用者が登録されていないとき、装着された前記記憶手段に記憶されている前記使用者情報に基づいて該使用者を登録すると共に該使用者の前記個人データを前記記憶手段から移動して保有し、前記ログオフでは、前記使用者が登録され、かつ該使用者の前記個人データが保有されているとき、該使用者の登録を削除すると共に該個人データを前記記憶手段へ移動する構成とされていることを特徴としている。
【００１０】
請求項３記載の発明は、請求項１又は２記載の携帯電話機に係り、前記携帯電話機本体は、前記各使用者の認証情報を予め登録し、該認証情報と当該使用者により入力された認証情報とを照合することにより認証を行い、この後、前記ログオン又は前記ログオフを行う構成とされていることを特徴としている。
【００１１】
請求項４記載の発明は、個人データ管理方法に係り、複数の使用者に共用される携帯電話機本体と、前記各使用者毎に設けられると共に前記携帯電話機本体に対して着脱可能な構成とされ、当該使用者の個人データを記憶する複数の記憶手段とを備えてなる携帯電話機に用いられ、前記記憶手段を前記携帯電話機本体に装着してログオンを行った使用者のみの前記個人データを保有し、ログオフを行った他の使用者の個人データを当該各使用者が所持している前記記憶手段に退避することを特徴としている。
【００１２】
請求項５記載の発明は、請求項４記載の個人データ管理方法に係り、前記各記憶手段が、当該使用者を表す使用者情報を記憶し、前記ログオンでは、前記携帯電話機本体に前記使用者が登録されていないとき、装着された前記記憶手段に記憶されている前記使用者情報に基づいて該使用者を登録すると共に該使用者の前記個人データを前記記憶手段から移動して保有し、前記ログオフでは、前記携帯電話機本体に前記使用者が登録され、かつ該使用者の前記個人データが保有されているとき、該使用者の登録を削除すると共に該個人データを前記記憶手段へ移動することを特徴としている。
【００１３】
請求項６記載の発明は、請求項４又は５記載の個人データ管理方法に係り、前記携帯電話機本体に前記各使用者の認証情報を予め登録し、該認証情報と当該使用者により入力された認証情報とを照合することにより認証を行い、この後、前記ログオン又は前記ログオフを行うことを特徴としている。
【００１４】
請求項７記載の発明は、管理制御プログラムに係り、コンピュータに請求項１乃至３のうちのいずれか一に記載の携帯電話機を制御させることを特徴としている。
【発明の効果】
【００１５】
この発明の構成によれば、携帯電話機本体が、記憶手段を装着してログオンを行った使用者のみの個人データを保有し、ログオフを行った他の使用者の個人データを当該各使用者が所持している記憶手段に退避するので、複数の使用者に共用されても、同携帯電話機本体内に含まれる個人データが個別に管理され、セキュリティを向上できる。また、記憶手段が装着されることにより、携帯電話機本体の使用者が識別され、同携帯電話機本体に登録された使用者の個人データのみが同記憶手段と同携帯電話機本体との間で移動するため、同携帯電話機本体が使用されている際は、同携帯電話機本体を使用している使用者の個人データのみが存在する。このため、多数の使用者がいても、携帯電話機本体に格納される個人データの最大量は、上記記憶手段の記憶容量を越えることがなく、携帯電話機本体に個人データが格納されないというトラブルを回避できる。
【００１６】
また、記憶手段が携帯電話機本体に装着された際、同記憶手段に記憶されている使用者情報による認証のみでなく、使用者が入力した認証情報による認証が行われるので、同記憶手段の使用者情報を登録した使用者以外による同記憶手段の使用が困難となる。このため、記憶手段のセキュリティを向上できる。
【発明を実施するための最良の形態】
【００１７】
情報アタッチメントとして構成された記憶手段を装着してログオンを行った使用者のみの個人データを保有し、ログオフを行った他の使用者の個人データを当該各使用者が所持している記憶手段に退避する構成とされている携帯電話機を提供する。
【実施例１】
【００１８】
図１は、この発明の第１の実施例である携帯電話機の要部の電気的構成を示すブロック図である。
この例の携帯電話機１は、同図に示すように、情報アタッチメント１０と、携帯電話機本体２０とから構成され、使用者の個人データを保有すると共に所定の通信動作を行う。情報アタッチメント１０は、各使用者毎に設けられると共に携帯電話機本体２０に対して着脱可能な構成とされ、当該使用者を表す使用者情報を記憶すると共に当該使用者の個人データを記憶する。なお、同図では、情報アタッチメント１０は、１つのみ表示されているが、実際には複数の使用者がそれぞれ１つずつ保有している。携帯電話機本体２０は、複数の使用者に共用されるものであり、情報アタッチメント１０を装着してログオンを行った使用者のみの個人データを保有し、ログオフを行った他の使用者の個人データを当該各使用者が所持している情報アタッチメント１０に退避する。すなわち、ログオンでは、携帯電話機本体２０は、使用者が登録されていないとき、装着された情報アタッチメント１０に記憶されている使用者情報に基づいて同使用者を登録すると共に同使用者の個人データを同情報アタッチメント１０から移動して保有する、また、ログオフでは、携帯電話機本体２０は、使用者が登録され、かつ同使用者の個人データが保有されているとき、同使用者の登録を削除すると共に同個人データを情報アタッチメント１０へ移動する。
【００１９】
情報アタッチメント１０は、たとえばメモリカードなどで構成され、使用者情報制御部１１と、使用者情報保存部１２と、個人データ制御部１３と、個人データ格納部１４とから構成されている。また、携帯電話機本体２０は、ＣＰＵ（中央処理装置）２０ａと、ＲＯＭ（リードオンリメモリ）２０ｂと、使用者情報確認部２１と、使用者情報登録部２２と、操作部２２ａと、使用者登録情報格納部２３と、使用者情報登録確認部２４と、使用者制御部２５と、使用者情報格納部２６と、データ制御部２７と、データ格納部２８とから構成されている。使用者情報制御部１１は、携帯電話機本体２０の使用者情報登録部２２で作成された使用者情報Ｆを受け取り、使用者情報保存部１２へ保存する。また、使用者情報制御部１１は、使用者情報確認部２１から使用者情報Ｆが要求された場合、使用者情報保存部１２に保存されている使用者情報Ｆを読み出し、同使用者情報確認部２１へ送出する。
【００２０】
使用者情報保存部１２は、使用者情報Ｆが１件（すなわち、使用者一人分）保存され、使用者情報制御部１１によって読込み又は書込みが行われる。個人データ制御部１３は、携帯電話機本体２０のデータ制御部２７より送信される個人データを取得し、個人データ格納部１４へ保存する。また、使用者情報保存部１２は、データ制御部２７より個人データ取得の要求がある場合、個人データ格納部１４に保存されている個人データを読み込み、データ制御部２７に引き渡す。なお、個人データとは、携帯電話機１で使用される、たとえば、「電話帳」、「電子メール」、「設定情報」などのデータである。個人データ格納部１４は、使用者情報保存部１２に保存された使用者情報Ｆに対応する個人データを格納し、個人データ制御部１３によって読込み又は書込みが行われる。
【００２１】
ＣＰＵ２０ａは、携帯電話機１全体を制御する。ＲＯＭ２０ｂは、ＣＰＵ２０ａを動作させるための管理制御プログラムが記録されている。使用者情報確認部２１は、情報アタッチメント１０の使用者情報制御部１１に使用者情報Ｆを要求して取得する。また、使用者情報確認部２１は、使用者情報Ｆが取得できた場合、使用者情報登録確認部２４へ引き渡す。また、使用者情報確認部２１は、使用者情報制御部１１より使用者情報Ｆを取得できない場合、使用者情報登録部２２に所定の処理を指令する。使用者情報登録部２２は、ボタンスイッチなどで構成される操作部２２ａを有し、使用者情報確認部２１の指令により、使用者に対して使用者情報Ｆに含まれる使用者名を登録させる。これにより、使用者情報登録部２２は、自動的に使用者情報Ｆを作成し、同使用者情報Ｆを使用者登録情報格納部２３に保存すると共に、同一のデータ（使用者情報Ｆ）を情報アタッチメント１０の使用者情報制御部１１に送信する。上記使用者情報Ｆは、使用者名、認証パスワード、及び端末識別番号から構成されている。
【００２２】
使用者登録情報格納部２３は、使用者情報登録部２２より引き渡された使用者情報Ｆを記録する。この場合、携帯電話機本体２０を共用する複数の使用者の使用者情報Ｆがまとめて記録される。使用者情報登録確認部２４は、使用者情報確認部２１より取得した使用者情報Ｆが使用者登録情報格納部２３に登録されているか否か、また、登録内容と一致するか否かを確認し、一致している場合に、該当する使用者情報Ｆに含まれる使用者名Ｆ１を使用者制御部２５へ引き渡す。使用者制御部２５は、使用者情報格納部２６に携帯電話機使用者名が格納されていない場合は、携帯電話機本体２０が未使用状態であると認識し、ログオン処理を行う。また、使用者制御部２５は、使用者情報格納部２６に携帯電話機使用者名が格納されている場合は、携帯電話機本体２０が使用状態であると認識し、使用者情報登録確認部２４より取得した使用者名Ｆ１と使用者情報格納部２６に登録されている携帯電話機使用者名とを比較し、一致した場合のみ、ログオフ処理を行う。
【００２３】
上記ログオン処理では、使用者制御部２５は、使用者情報登録確認部２４より取得した使用者名Ｆ１を使用者情報格納部２６に保存し、データ制御部２７にログオンの要求を送信する。これにより、携帯電話機本体２０は、使用者が存在する状態となる。また、上記ログオフ処理では、使用者制御部２５は、使用者情報格納部２６に保存されている携帯電話機使用者名を削除し、データ制御部２７にログオフの要求を送信する。これにより、携帯電話機本体２０は、使用者が存在しない状態となる。使用者情報格納部２６は、携帯電話機本体２０を現在使用している使用者の使用者名１件を格納する。なお、使用者情報格納部２６に使用者名が格納されている場合は、携帯電話機本体２０に使用者がいる状態を示し、使用者名が格納されていない場合は、同携帯電話機本体２０に使用者がいない状態を示している。
【００２４】
データ制御部２７は、使用者制御部２５からのログオン／ログオフの要求により、データ格納部２８のデータの制御を行う。すなわち、データ制御部２７は、使用者制御部２５からログオンの要求を受けた場合、情報アタッチメント１０の個人データ制御部１３に対して個人データの移動要求及び取得を行い、データ格納部２８へ個人データを格納する。またデータ制御部２７は、使用者制御部２５からログオフの要求を受けた場合、データ格納部２８に現在格納されている個人データを取得し、情報アタッチメント１０の個人データ制御部１３へ個人データを移動する。データ格納部２８は、携帯電話機本体２０側で使用される個人データを格納する。
【００２５】
図２は、図１中の使用者情報保存部１２又は使用者登録情報格納部２３で使用される使用者情報Ｆを示す図である。
この使用者情報Ｆは、使用者名Ｆ１と、認証パスワードＦ２と、端末識別番号Ｆ３とから構成されている。使用者名Ｆ１は、情報アタッチメント１０及び携帯電話機本体２０の現在の使用者名を示す。認証パスワードＦ２は、使用者名Ｆ１に対応するパスワードを示す。端末識別番号Ｆ３は、たとえば製造番号であり、携帯電話機本体２０にユニークに設定される番号を示す。
【００２６】
図３は、図１の携帯電話機の動作を説明するためのフローチャートである。
この図を参照して、この例の携帯電話機に用いられる個人データ管理方法の処理内容について説明する。
まず、携帯電話機本体２０に情報アタッチメント１０が物理的に装着される。携帯電話機本体２０の使用者情報確認部２１から、情報アタッチメント１０の使用者情報制御部１１に対して、使用者情報保存部１２に保存されている使用者情報Ｆの読出しが行われ、同情報アタッチメント１０に使用者情報Ｆが設定されているか否かが判定される（ステップＡ１）。使用者情報保存部１２に使用者情報Ｆが設定されていない場合、使用者情報登録部２２により、使用者に対して使用者名の入力が要求される。この場合、図示しない表示部に、たとえば、「使用者名を入力してください」などのメッセージが表示される。
【００２７】
使用者名（すなわち、使用者名Ｆ１）が操作部２２ａから入力されると、同使用者名Ｆ１を元に、認証パスワードＦ２及び端末識別番号Ｆ３が付加された使用者情報Ｆが作成され、使用者登録情報格納部２３に登録される。同時に、情報アタッチメント１０の使用者情報制御部１１に対しても使用者情報Ｆが渡される（ステップＡ２）。使用者情報制御部１１は、使用者情報保存部１２に使用者情報Ｆを保存し、携帯電話機本体２０に対する情報アタッチメント１０の解除（たとえば、電気的に切断する）を行い、処理を終了する。
【００２８】
上記ステップＡ１において、情報アタッチメント１０の使用者情報保存部１２に使用者情報Ｆが設定されている場合には、使用者情報登録確認部２４により、情報アタッチメント１０の使用者情報保存部１２から取得した使用者情報Ｆが使用者登録情報格納部２３に同一のデータとして登録されているか否かの確認が行われる（ステップＡ３）。使用者情報登録確認部２４は、使用者情報保存部１２より取得した使用者情報Ｆが使用者登録情報格納部２３に含まれていない、又は同使用者登録情報格納部２３に格納されている使用者情報Ｆと一致しない場合、情報アタッチメント１０が携帯電話機本体２０に対する情報アタッチメントではないと判定し、携帯電話機本体２０に対する情報アタッチメント１０の解除を行い、処理を終了する。また、使用者情報登録確認部２４は、使用者情報保存部１２より取得した使用者情報Ｆが使用者登録情報格納部２３に格納されているデータと一致する場合、使用者制御部２５に対し、一致した使用者情報Ｆの使用者名Ｆ１を渡す。
【００２９】
次に、使用者制御部２５により、使用者情報格納部２６に現在の携帯電話機の使用者名が登録されているか否かの確認が行われ（ステップＡ４）、使用者名が登録されていない場合、携帯電話機本体２０は使用されていないと認識され、ログオンが開始される。ログオンが開始されると、使用者制御部２５は、使用者情報登録確認部２４より取得した使用者名を使用者情報格納部２６に携帯電話機使用者名として格納し、データ制御部２７に対してログオンの要求を行う。データ制御部２７は、ログオンの要求を受け、情報アタッチメント１０の個人データ制御部１３に対して個人データの移動要求及び取得を行い、取得した個人データ（すなわち、ログオンを行った使用者のみの個人データ）をデータ格納部２８へ移動し（ステップＡ５）、この後、携帯電話機本体２０に対する情報アタッチメント１０の解除が行われ、処理を終了する。
【００３０】
上記ステップＡ４において、使用者情報格納部２６に携帯電話機使用者名が登録されていた場合、使用者制御部２５により、情報アタッチメント１０の使用者名と携帯電話機本体２０の携帯電話機使用者名とが同一であるか否かの認証が行われ（ステップＡ６）、同一でない場合、不正な情報アタッチメントであると判定されて携帯電話機本体２０に対する情報アタッチメント１０の解除が行われ、処理を終了する。使用者制御部２５は、使用者情報登録確認部２４より渡された使用者名と使用者情報格納部２６に格納されている携帯電話機使用者名とが一致した場合、携帯電話機本体２０の現在の使用者に対する情報アタッチメント１０が装着されたと認識し、ログオフを開始する。使用者制御部２５は、ログオフを開始すると、使用者情報格納部２６に保存されている携帯電話機使用者名を削除し、データ制御部２７に対し、さらに、ログオフの要求を行う。
【００３１】
データ制御部２７は、ログオフの要求を受け、データ格納部２８に保存されている個人データを情報アタッチメント１０の個人データ制御部１３に送信する。個人データ制御部１３は、取得した個人データ（すなわち、ログオフを行った使用者の個人データ）を個人データ格納部１４に保存（すなわち、退避）する（ステップＡ７）。この後、携帯電話機本体２０に対する情報アタッチメント１０の解除が行われ、処理を終了する。
【００３２】
以上のように、この第１の実施例では、携帯電話機本体２０が、情報アタッチメント１０を装着してログオンを行った使用者のみの個人データを保有し、ログオフを行った他の使用者の個人データを当該各使用者が所持している情報アタッチメント１０に退避するので、複数の使用者に共用されても、同携帯電話機本体２０内に含まれる「電話帳」、「電子メール」などの個人データが個別に管理され、セキュリティが向上する。また、情報アタッチメント１０が装着されることにより、携帯電話機本体２０の使用者が識別され、同携帯電話機本体２０に登録された使用者の個人データのみが同情報アタッチメント１０と同携帯電話機本体２０との間で移動するため、同携帯電話機本体２０が使用されている際は、同携帯電話機本体２０を使用している使用者の個人データのみが存在する。このため、多数の使用者がいても、携帯電話機本体２０に格納される個人データの最大量は、情報アタッチメント１０の個人データ格納部１４の記憶容量を越えることがなく、携帯電話機本体２０に個人データが格納されないというトラブルが回避される。
【００３３】
上記第１の実施例では、使用者情報Ｆを登録した使用者以外による情報アタッチメント１０の使用が比較的容易なため、同情報アタッチメント１０のセキュリティに問題がある。このため、このセキュリティが向上する第２の実施例を説明する。
【実施例２】
【００３４】
図４は、この発明の第２の実施例である携帯電話機の要部の電気的構成を示すブロック図であり、第１の実施例を示す図１中の要素と共通の要素には共通の符号が付されている。
この例の携帯電話機１Ａでは、図１中の携帯電話機本体２０に代えて、異なる構成の携帯電話機本体２０Ａが設けられている。携帯電話機本体２０Ａでは、図１中の使用者情報登録確認部２４に代えて、新たに機能が付加された使用者情報登録確認部２４Ａが設けられている。使用者情報登録確認部２４Ａは、使用者情報登録確認部２４の機能に加え、使用者に対して使用者パスワードの入力を要求し、操作部２２ａから入力された使用者パスワードと使用者登録情報格納部２３より取得した使用者情報Ｆに付属の使用者パスワードとの一致／不一致を判定することにより、使用者の認証を行う。
【００３５】
図５は、図４の携帯電話機の動作を説明するためのフローチャートであり、第１の実施例を示す図３中の要素と共通の要素には共通の符号が付されている。
この図を参照して、この例の携帯電話機に用いられる個人データ管理方法の処理内容について説明する。
この例の個人データ管理方法では、次の点が第１の実施例と異なっている。
すなわち、図５に示すように、ステップＡ３において、使用者情報保存部１２より取得した使用者情報Ｆが使用者登録情報格納部２３に格納されているデータと一致する場合、ステップＢ３において、使用者情報登録確認部２４Ａにより、使用者に対して使用者パスワードの入力が要求される。この場合、図示しない表示部に、たとえば、「パスワードを入力してください」などのメッセージが表示される。パスワードが操作部２２ａから入力されると、使用者情報登録確認部２４Ａでは、入力された使用者パスワードと使用者登録情報格納部２３より取得した使用者情報Ｆに付属の使用者パスワードとの一致／不一致が判定され、一致したときにステップＡ４へ進み、不一致のとき、携帯電話機本体２０Ａに対する情報アタッチメント１０の解除が行われ、処理を終了する。
【００３６】
以上のように、この第２の実施例では、情報アタッチメント１０が携帯電話機本体２０Ａに装着された際、同情報アタッチメント１０の使用者情報保存部１２に格納されている使用者情報Ｆによる認証のみでなく、使用者に対して使用者パスワードの手入力による認証が同時に行われるので、情報アタッチメント１０の使用者情報Ｆを登録した使用者以外による情報アタッチメント１０の使用が困難となる。このため、第１の実施例の利点に加え、情報アタッチメント１０のセキュリティがより向上する。
【００３７】
以上、この発明の実施例を図面により詳述してきたが、具体的な構成は同実施例に限られるものではなく、この発明の要旨を逸脱しない範囲の設計の変更などがあっても、この発明に含まれる。
たとえば、第２の実施例では、使用者パスワードによる認証の他、携帯電話機本体２０Ａに指紋センサを設け、また、使用者登録情報格納部２３に使用者の指紋を登録し、登録されている指紋と同指紋センサにより検出された指紋とを照合することにより、使用者の認証を行っても良い。
【産業上の利用可能性】
【００３８】
この発明は、１台の携帯電話機を複数の使用者が共用する際、同携帯電話機に記憶される電話帳や電子メールなどの個人データを各使用者毎に個別に管理する用途に適用できる。
【図面の簡単な説明】
【００３９】
【図１】この発明の第１の実施例である携帯電話機の要部の電気的構成を示すブロック図である。
【図２】図１中の使用者情報保存部１２又は使用者登録情報格納部２３で使用される使用者情報Ｆを示す図である。
【図３】図１の携帯電話機の動作を説明するためのフローチャートである。
【図４】この発明の第２の実施例である携帯電話機の要部の電気的構成を示すブロック図である。
【図５】図４の携帯電話機の動作を説明するためのフローチャートである。
【符号の説明】
【００４０】
１，１Ａ      携帯電話機
１０      情報アタッチメント（記憶手段）
１１      使用者情報制御部（記憶手段の一部）
１２      使用者情報保存部（記憶手段の一部）
１３      個人データ制御部（記憶手段の一部）
１４      個人データ格納部（記憶手段の一部）
２０，２０Ａ      携帯電話機本体
２０ａ      ＣＰＵ（中央処理装置、携帯電話機本体の一部）
２０ｂ      ＲＯＭ（リードオンリメモリ、携帯電話機本体の一部）
２１      使用者情報確認部（携帯電話機本体の一部）
２２      使用者情報登録部（携帯電話機本体の一部）
２２ａ      操作部（携帯電話機本体の一部）
２３      使用者登録情報格納部（携帯電話機本体の一部）
２４，２４Ａ      使用者情報登録確認部（携帯電話機本体の一部）
２５      使用者制御部（携帯電話機本体の一部）
２６      使用者情報格納部（携帯電話機本体の一部）
２７      データ制御部（携帯電話機本体の一部）
２８      データ格納部（携帯電話機本体の一部）
【図１】
2005303597.tif 000003
【図２】
2005303597.tif 000004
【図３】
2005303597.tif 000005
【図４】
2005303597.tif 000006
【図５】
2005303597.tif 000007